(57)【要約】【課題】  本発明は、国際標準で規格されている符号語を用いて、混信することなく複数人で通信可能なデータ通信システム、データ通信装置及びデータ通信方法を提供することを目的とするものである。【解決手段】  同一の符号語セットを備えた複数のデータ通信装置を有するデータ通信システムにおいて、各データ通信装置は、一の符号語を送信する場合、一の符号語を複素平面上で異なる方向及び／又は異なる周期で回転させたとき生成される符号語(a１(t)、a２(t)、a３(t)及びa４(t)の一つの信号)を、順次送信することにより、各データ通信装置から送信される信号スペクトラムが重ならない様にした。【選択図】  図８
2006173755.tif 000002
【特許請求の範囲】
【請求項１】
同一の符号語セットを備えた複数のデータ通信装置を有するデータ通信システムにおいて、
各データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、各データ通信装置から送信される信号スペクトラムが重ならない様にしたことを特徴とするデータ通信システム。
【請求項２】
前記データ通信装置は、前記一の符号語を、(１、１、１、１)、(１、ｊ、−１、−ｊ)、(１、−１、１、−１)、(１、−ｊ、−１、ｊ)の特性を有するフィルタの内の一つを用いて、一の符号語を複素平面上で異なる方向及び／又は異なる周期で回転させたとき生成される４個の符号語を生成することを特徴とする請求項１記載のデータ通信システム。
【請求項３】
他の通信装置と同一の符号語セットを備えたデータ通信装置において、
該データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、前記他の通信装置から送信される信号スペクトラムと重ならない信号スペクトラを送信することを特徴とするデータ通信装置。
【請求項４】
前記一の符号語を、(１、１、１、１)、(１、ｊ、−１、−ｊ)、(１、−１、１、−１)、(１、−ｊ、−１、ｊ)の特性を有するフィルタの内の一つを用いて、送信することを特徴とする請求項３記載のデータ通信装置。
【請求項５】
データ通信に先立って送信される制御信号が、前記符号語であることを特徴とする請求項３又は４記載のデータ通信装置。
【請求項６】
同一の符号語セットを備えた複数のデータ通信装置を有するデータ通信システムにおけるデータ通信方法において、
各データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、各データ通信装置から送信される信号スペクトラムが重ならない様にしたことを特徴とするデータ通信方法。
【請求項７】
前記一の符号語を、(１、１、１、１)、(１、ｊ、−１、−ｊ)、(１、−１、１、−１)、(１、−ｊ、−１、ｊ)の特性を有するフィルタの内の一つを用いて送信することを特徴とする請求項６記載のデータ通信方法。
【請求項８】
データ通信に先立って送信される制御信号が、前記符号語であることを特徴とする請求項５又は６記載のデータ通信方法。
【発明の詳細な説明】
【技術分野】
【０００１】
本発明は、データ通信システム、データ通信装置及びデータ通信方法に関する。
【背景技術】
【０００２】
コンピュータと端末又はコンピュータ間で行われるデータ通信が、ネットワークの普及に伴い、各方面で、広範囲に行われている。
【０００３】
データ通信システムは、コンピュータと、遠隔地の端末装置又はコンピュータとの間を通信回線で接続し、情報処理を行うオンラインシステムである。
【０００４】
図１に、データ通信システムの基本構成を示す（非特許文献１参照）。
【０００５】
図１のデータ通信システムは、データ通信端末１０、変復調装置１１、１７、回線保護装置１２、１６、網制御装置１３、１５、ネットワーク１４、通信制御装置１８及び計算機システム１９から構成されている。なお、ネットワークは、有線及び／又は無線のネットワークである。また、回線保護装置及び網制御装置に代えて、データ通信を行うネットワークに対応した、インタフェース装置を用いることができる。
【０００６】
データ通信端末１０は、入力機器I/Oと端末制御装置Ｔから構成されている。また、端末制御装置（又は通信制御装置）と変復調装置と回線保護装置とで、データ伝送制御装置を構成する。また、網制御装置とネットワークとで、通信回線を構成する。
【０００７】
データ通信端末１０は、データ通信システムと外部との接続点にあり、種々の形式で表現されるデータの入出のために用いられる。例えば、キーボード等の入力装置、表示装置等の出力装置、ＣＰＵ装置等で構成されている。
【０００８】
変復調装置１１、１７は、データ通信端末１０からの情報をデータ伝送路上の信号に変換し、データ伝送路から送られてくる電気信号をデータ通信端末等で動作させる形に変換する。また、誤りの検出・訂正機能等の機能を併せて有する。
【０００９】
変復調装置１１では、データ通信端末１０から入力された情報を符号語に変換する。必要に応じて、変復調装置１１では、更に、符号語を例えば、ＯＦＤＭ(Orthogonal Frequency Division Multiplex)により、高周波領域の信号に変換する。
【００１０】
符号語として、２５６の符号語のセットが、国際標準(例えば、IEEE802.11ｂ、IEEE802.11ｇ)として規格化されている。
【非特許文献１】電子通信学会「データ通信ハンドブック」昭和５９年１０月３０日、オーム社発行
【発明の開示】
【発明が解決しようとする課題】
【００１１】
ところで、国際標準で規格されている符号語のセットを、同時に、複数人（例えば、４人）で使用するとなると、混信を起こしてしまう。
【００１２】
そこで、混信を避けるために、国際標準で規格されている２５６の符号語のセットを、４分割して、使用したとする。しかしながら、国際標準で規格されている２５６の符号語のセットは、相互に相関を有するので、この場合でも、混信を避けることはできないという問題がある。
【００１３】
上記問題に鑑みなされたものであり、本発明は、国際標準で規格されている符号語を用いて、混信することなく複数人で通信可能なデータ通信システム、データ通信装置及びデータ通信方法を提供することを目的とするものである。
【課題を解決するための手段】
【００１４】
請求項１に記載されている発明は、同一の符号語セットを備えた複数のデータ通信装置を有するデータ通信システムにおいて、各データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、各データ通信装置から送信される信号スペクトラムが重ならない様にしたことを特徴とする。
【００１５】
これにより、国際標準で規格されている符号語を用いて、混信することなく複数人で通信可能なデータ通信システムを提供することができる。
【００１６】
なお、一の符号語を複素平面上で異なる方向及び／又は異なる周期で回転させたとき生成されるＮ（Ｎは、２以上の自然数）個の符号語には、(１、１、１、１)のフィルタを用いるデータ通信装置のように、一の符号語を複素平面上で異なる方向及び／又は異なる周期で回転しないものも含む。
【００１７】
請求項２に記載された発明は、請求項１記載のデータ通信システムにおいて、前記データ通信装置は、前記一の符号語を、(１、１、１、１)、(１、ｊ、−１、−ｊ)、(１、−１、１、−１)、(１、−ｊ、−１、ｊ)の特性を有するフィルタの内の一つを用いて、一の符号語を複素平面上で異なる方向及び／又は異なる周期で回転させたとき生成される４個の符号語を生成することを特徴とする。
【００１８】
これにより、簡便な方法で、各データ通信装置から送信される信号スペクトラムが重ならない様にすることができる。
【００１９】
請求項３に記載された発明は、他の通信装置と同一の符号語セットを備えたデータ通信装置において、該データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、前記他の通信装置から送信される信号スペクトラムと重ならない信号スペクトラを送信することを特徴とするデータ通信装置である。
【００２０】
請求項４に記載された発明は、請求項３記載のデータ通信装置において、前記一の符号語を、(１、１、１、１)、(１、ｊ、−１、−ｊ)、(１、−１、１、−１)、(１、−ｊ、−１、ｊ)の特性を有するフィルタの内の一つを用いて、送信することを特徴とする。
【００２１】
請求項５に記載された発明は、請求項３又は４記載のデータ通信装置において、請求項５データ通信に先立って送信される制御信号が、前記符号語であることを特徴とする。
【００２２】
請求項３〜５に記載された発明は、請求項１又は２に記載されたデータ通信システムに適したデータ通信装置を提供することができる。
【００２３】
請求項６に記載された発明は、同一の符号語セットを備えた複数のデータ通信装置を有するデータ通信システムにおけるデータ通信方法において、各データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、各データ通信装置から送信される信号スペクトラムが重ならない様にしたことを特徴とする。
【００２４】
請求項７に記載された発明は、請求項６記載のデータ通信方法において、前記一の符号語を、(１、１、１、１)、(１、ｊ、−１、−ｊ)、(１、−１、１、−１)、(１、−ｊ、−１、ｊ)の特性を有するフィルタの内の一つを用いて送信することを特徴とする。
【００２５】
請求項８に記載された発明は、請求項５又は６記載のデータ通信方法において、データ通信に先立って送信される制御信号が、前記符号語であることを特徴とする。
【００２６】
請求項６〜８に記載された発明により、請求項１又は２に記載されたデータ通信システムに適したデータ通信方法を提供することができる。
【発明の効果】
【００２７】
本発明によれば、国際標準で規格されている符号語を用いて、混信することなく複数人で通信可能なデータ通信システム、データ通信装置及びデータ通信方法を提供することができる。
【発明を実施するための最良の形態】
【００２８】
データ通信システムにおけるデータ通信端末で使用する、国際標準の２５６の符号語のセットを図２に示す。
【００２９】
図２の各符号語は、例えば、図３に示されているように、
Ｓ０は、  １、  １、  １、−１、  １、  １、−１、  １  であり、
ｊＳ０は、  ｊ、  ｊ、  ｊ、−ｊ、  ｊ、  ｊ、−ｊ、  ｊ  であり、
−Ｓ０は、−１、−１、−１、  １、−１、−１、  １、−１  であり、
−ｊＳ０は、−ｊ、−ｊ、−ｊ、  ｊ、−ｊ、−ｊ、  ｊ、−ｊ  であり、
・・・・・・・・・・・・・・・・・・・・・・・・・・・・・・・・・
Ｓ６３は、  ｊ、−１、−１、  ｊ、−１、−ｊ、  ｊ、  １  であり、
ｊＳ６３は、−１、−ｊ、−ｊ、−１、−ｊ、  １、−１、  ｊ  であり、
−Ｓ６３は、−ｊ、  １、  １、−ｊ、  １、  ｊ、−ｊ、−１  であり、
−ｊＳ６３は、  １、  ｊ、  ｊ、  １、  ｊ、−１、  １、−ｊ  である。
【００３０】
データ通信端末は、この符号語を送信する。
【００３１】
ここで、同一の符号語セットを備えた複数のデータ通信装置を有するデータ通信システムにおいて、各データ通信装置は、一の符号語を送信する場合、一の符号語を複素平面上で異なる方向及び／又は異なる周期で回転させたとき生成されるＮ（Ｎは、２以上の自然数）個の符号語を、順次送信することにより、各データ通信装置から送信される信号スペクトラムが重ならない様にしたデータ通信システムを説明する。
【００３２】
図４にデータ通信端末を示す。図４のデータ通信端末Ａは、フィルタ２０、乗算器（変調器）２１、発振器２２及びアンテナ２３を有する。
【００３３】
データ通信端末Ａは、図２に示されている２５６符号語（Ｓ０、Ｓ１、Ｓ２、・・・、−ｊＳ６３）を送信することができる。データ通信端末Ａは、符号語Ｓ０を送信するとき、フィルタ２０により、符号語Ｓ０をＳ０＋Ｓ０＋Ｓ０＋Ｓ０と変換し、発振器２２の周波数ｆａと乗算して、アンテナ２３から放射する。符号語Ｓ０以外の符号語についても、同様に、フィルタ２０により変換し、アンテナ２３から放射する。なお、フィルタ２０は、図６のように、構成することができる。
【００３４】
図５に他のデータ通信端末を示す。図５のデータ通信端末Ｂは、フィルタ３０、乗算器（変調器）３１、発振器３２及びアンテナ３３を有する。
【００３５】
データ通信端末Ｂは、データ通信端末Ａと同様に、図２に示されている２５６符号語（Ｓ０、Ｓ１、Ｓ２、・・・、−ｊＳ６３）を送信することができる。データ通信端末Ｂは、符号語Ｓ０を送信するとき、フィルタ３０により、符号語Ｓ０をＳ０＋ｊＳ０＋−Ｓ０＋−ｊＳ０と変換し、発振器２２の周波数ｆａと乗算して、アンテナ２３から放射する。符号語Ｓ０以外の符号語についても、同様に、フィルタ３０により変換して、アンテナ２３から放射する。なお、フィルタ３０は、図７のように構成することができる。
【００３６】
ここで、離散フーリエ変換について説明する。
【００３７】
例えば、離散信号｛ｘ｝＝ｘ０、ｘ１、・・・ｘ７のスペクトラムは、離散周期スペクトラムとなり、これを、｛Ｘ｝＝Ｘ０、Ｘ１、・・・Ｘ７のとすると、離散フーリエ変換の定義により、次の様に表現される。
【００３８】
【数１】
2006173755.tif 000003
また、離散信号｛ｘ｝＝ｘ０、ｘ１、・・・ｘ７は、逆離散フーリエ変換の定義により、次の様に表現される。
【００３９】
【数２】
2006173755.tif 000004
ここで、単位円をＮ分割した点に相当する変数Ｗを次のように定義する。
【００４０】
【数３】
2006173755.tif 000005
このＷを用いると、離散フーリエ変換の定義式(１)と逆離散フーリエ変換の定義式(２)は、次の様になる。
【００４１】
【数４】
2006173755.tif 000006
これをＮ行、Ｎ列のＤＦＴ(離散フーリエ変換)行列ＦＮで表現すると、
ＦＮ＝｛ｆＮ(ｉ、ｊ)｝    ・・・(８)
０≦ｉ≦Ｎ―１
０≦ｊ≦Ｎ―１
となる。
【００４２】
また、ｆＮ(ｉ、ｊ)は、次の様に表現できる。
【００４３】
【数５】
2006173755.tif 000007
ここで、送信データ信号ａ（ｔ）（ａ０ａ１・・・ａＮ-1）の離散フーリエ変換を求める。
【００４４】
【数６】
2006173755.tif 000008
この離散フーリエ変換によって生成された係数ｃ０ｃ１・・・ｃＮ-1が、送信データ信号ａ（ｔ）（ａ０ａ１・・・ａＮ-1）のスペクトラムである。
【００４５】
また、式（１４）の左辺のＦＮ(ベクトルａ)は、式（１２）に基づき、次のように変形される。
【００４６】
【数７】
2006173755.tif 000009
となる。
【００４７】
次に、送信データ信号ａ（ｔ）（ａ０ａ１・・・ａＮ-1）の時系列の順序を一つ巡回させて、送信データ信号ａ（ｔ）’（ａＮ-1ａ０ａ１・・・ａＮ-２）の離散フーリエ変換を求める。
【００４８】
【数８】
2006173755.tif 000010
式（１６）を考慮すれば、ＦＮ(ベクトルａ’)は、次のように表現できる。
【００４９】
【数９】
2006173755.tif 000011
次に、図８に示されているような、a１(t)、a２(t)、a３(t)及びa４(t)の４つの信号考える。a１(t)は、a(t)を図６のフィルタを通した信号であり、a２(t)は、a(t)図７のフィルタを通した信号である。a３(t)及びa４(t)は、図示していないが、これらに対応したフィルタを通した信号である。
【００５０】
a(t)を(ａ０ａ１・・・ａＭ-1)とすると、a１(t)、a２(t)、a３(t)及びa４(t)の４つの信号は、図９のように示すことができる。
【００５１】
また、a１(t)は、a(t)、a(t)、a(t)及びa(t)の４つの信号からなる信号であり、
a１(t)＝ａ０ａ１・・・ａＭ-1、ａ０ａ１・・・ａＭ-1、ａ０ａ１・・・ａＭ-1、ａ０ａ１・・・ａＭ-1
・・（２２）
である。
【００５２】
同様に、a２(t)は、a(t)、ｊa(t)、−a(t)及び−ｊa(t)の４つの信号からなる信号であり、
a２(t)＝ａ０ａ１・・・ａＭ-1、ｊａ０ｊａ１・・・ｊａＭ-1、−ａ０−ａ１・・・−ａＭ-1、−ｊａ０−ｊａ１・・・−ｊａＭ-1・・・（２３）
である。
【００５３】
同様に、a３(t)及びa４(t)についても、示すことができる。
【００５４】
ここで、式（２２）のa１(t)において、各ａ０、ａ１・・・及びａＭ-1毎に、信号を選択して加算し、次の式を得る。なお、「０・・・０」は、Ｍ−１個の０を示す。
【００５５】
a１(t)＝ａ００・・・０ａ００・・・０ａ００・・・０ａ００・・・０
＋０ａ１０・・・０ａ１０・・・０ａ１０・・・０ａ１・（Ｍ−２個の０）
＋
・
＋
＋０・・・０ａＭ-1０・・・０ａＭ-1０・・・０ａＭ-1０・・・０ａＭ-1・・・（２４）
＝ａ０のベクトル＋ａ１のベクトル＋・・・＋ａＭ−１のベクトル・・・（２５）
なお、
ａ０のベクトルは、ａ００・・・０ａ００・・・０ａ００・・・０ａ００・・・０であり、
ａ１のベクトルは、０ａ１０・・・０ａ１０・・・０ａ１０・・・０ａ１・（Ｍ−２個の０）であり、
ａＭ−１のベクトルは、０・・・０ａＭ-1０・・・０ａＭ-1０・・・０ａＭ-1０・・・０ａＭ-1である。
【００５６】
同様に、式（２３）のa２(t)において、各ａ０、ａ１・・・又はａＭ-1毎に、信号を選択して加算し、次の式を得る。
【００５７】
a２(t)＝ａ００・・・０ｊａ００・・・０−ａ００・・・０−ｊａ００・・・０
＋０ａ１０・・・０ｊａ１０・・・０−ａ１０・・・０−ｊａ１・（Ｍ−２個の０）
＋
・
＋
＋０・・・０ａＭ-1０・・・０ｊａＭ-1０・・・０−ａＭ-1０・・・０−ｊａＭ-1・・・（２６）
＝ａ０’のベクトル＋ａ１’のベクトル＋・・・＋ａＭ−１’のベクトル・・・（２７）
なお、
ａ０’のベクトルは、ａ００・・・０ｊａ００・・・０−ａ００・・・０−ｊａ００・・・０
であり、
ａ１’のベクトルは、０ａ１０・・・０ｊａ１０・・・０−ａ１０・・・０−ｊａ１・（Ｍ−２個の０）
であり、
ａＭ−１’のベクトルは、０・・・０ａＭ-1０・・・０ｊａＭ-1０・・・０−ａＭ-1０・・・０−ｊａＭ-1である。
【００５８】
ここで、a１(t)の一部を構成するａ０のベクトル「ａ００・・・０ａ００・・・０ａ００・・・０ａ００・・・０」のスペクトラム（Ａ０）を求める。
【００５９】
【数１０】
2006173755.tif 000012
これによれば、a１(t)の一部を構成するａ０のベクトル「ａ００・・・０ａ００・・・０ａ００・・・０ａ００・・・０」のスペクトラム（Ａ０）は、最初の位置、それから３つ離れた位置毎に発生していることは分かる。信号の発生周期をＦ０とすれば、Ｆ０、５Ｆ０、９Ｆ０・・・のスペクトラムが発生している。
【００６０】
次に、a２(t)の一部を構成するａ０’のベクトル「ａ００・・・０ｊａ００・・・０−ａ００・・・０−ｊａ００・・・０」のスペクトラム（Ａ０’）を求める。
【００６１】
【数１１】
2006173755.tif 000013
これによれば、a２(t)の一部を構成するａ０’のベクトル「ａ００・・・０ｊａ００・・・０−ａ００・・・０−ｊａ００・・・０」のスペクトラム（Ａ０’）は、最初から２つ目の位置、それから３つ離れた位置毎に発生していることは分かる。信号の発生周期をＦ０とすれば、２Ｆ０、６Ｆ０、１０Ｆ０・・・のスペクトラムが発生している。
【００６２】
してみると、a１(t)の一部を構成するａ０のベクトル「ａ００・・・０ａ００・・・０ａ００・・・０ａ００・・・０」のスペクトラム（Ａ０）と、a２(t)の一部を構成するａ０’のベクトル「ａ００・・・０ｊａ００・・・０−ａ００・・・０−ｊａ００・・・０」のスペクトラム（Ａ０’）とが、１つ離れた異なる位置にスペクトラムが発生していることが分かる。
【００６３】
また、同様にして、a１(t)の一部を構成するａ１のベクトル「０ａ１０・・・０ａ１０・・・０ａ１０・・・０ａ１・（Ｍ−２個の０）」のスペクトラム（Ａ１）と、a２(t)の一部を構成するａ１’のベクトル「０ａ１０・・・０ｊａ１０・・・０−ａ１０・・・０−ｊａ１・（Ｍ−２個の０）」のスペクトラム（Ａ１’）とが、「ａ０のベクトル」と「ａ０’のベクトル」との関係と同様に、３つ離れた異なる位置にスペクトラムが発生していることが分かる。
【００６４】
また、a１(t)の他のベクトルと、そのベクトルに対応しているa２(t)の他のベクトルについても、同様に、それらのスペクトラムは、３つ離れた異なる位置にスペクトラムが発生していることが分かる。
【００６５】
このように、a１(t)の「ａ０のベクトル」、「ａ１のベクトル」、・・、「ａＭ−１のベクトル」と、a２(t)の「ａ０’のベクトル」、「ａ１’のベクトル」、・・・、「ａＭ−１’のベクトル」とが、それぞれ、１つ離れた異なる位置にスペクトラムが発生していることからして、a１(t)と、a２(t)とは、１つ離れた異なる位置にスペクトラムが発生していることが分かる。
【００６６】
また、同様にして、a３(t)及びa４(t)についても、スペクトラムが発生する位置を求める。
【００６７】
その結果、a１(t)、a２(t)、a３(t)及びa４(t)の４つの信号は、それぞれ、図１０に示されているように、異なる位置に、順に、スペクトラムが発生していることが求められる。
【００６８】
なお、a１(t)は、(１、１、１、１)の特性を有するフィルタを経た信号であり、a２(t)は、(１、ｊ、−１、−ｊ)の特性を有するフィルタを経た信号であり、a３(t)は、(１、−１、１、−１)の特性を有するフィルタを経た信号であり、a４(t)は、(１、−ｊ、−１、ｊ)の特性を有するフィルタを経た信号である。
【００６９】
なお、(１、ｊ、−１、−ｊ)の特性を有するフィルタは、１、１×ｊ、１×ｊ×ｊ、１×ｊ×ｊ×ｊの関係にあり、順に、「ｊ」を掛けたものである。
【００７０】
また、(１、−１、１、−１)の特性を有するフィルタは、１、１×−１、１×−１×−１、１×−１×−１×−１の関係にあり、順に、「−１」を掛けたものである。
【００７１】
また、(１、−ｊ、−１、ｊ)の特性を有するフィルタは、１、１×−ｊ、１×−ｊ×−ｊ、１×−ｊ×−ｊ×−ｊの関係にあり、順に、「−ｊ」を掛けたものである。
【００７２】
このように、(１、１、１、１)、(１、ｊ、−１、−ｊ)、(１、−１、１、−１)、(１、−ｊ、−１、ｊ)の特性を有するフィルタは、一の符号語を複素平面上で異なる方向及び／又は異なる周期で回転させる機能を有している。
【００７３】
なお、フィルタは、一の符号語を複素平面上で異なる方向及び／又は異なる周期で回転させる機能を有するものであれば、上記のフィルタに限らず実施することができる。
【００７４】
以上の通り、a１(t)、a２(t)、a３(t)及びa４(t)の４つの信号は、同じ信号から生成されたものであるが、混信することなく、同時に送受信することができる。
【００７５】
つまり、a１(t)、a２(t)、a３(t)及びa４(t)の４つの信号を用いることにより、国際標準で規格されている符号語のセットを、同時に、４人で、混信を起こすことなく使用することができる。
【００７６】
このとき、受信側では、送信側のフィルタに対応したフィルタを用いて受信する。
【００７７】
なお、上記説明では、送信される信号について説明したが、この信号は、送信される信号に限らず、データ通信に先立って送信される制御信号であっても、同様に実施することができる。なお、制御信号は、例えば、データ端末装置とネットワークのアクセスポイント間のネットワーク接続用の信号、通信回線制御用の信号等である。
【００７８】
本発明において、図９のような信号を用いた場合、通信速度は１／４に落ちるが、同じ符号語のセットを用いて、同時に、４者で干渉なく通信を行うことができる。
【図面の簡単な説明】
【００７９】
【図１】データ通信システムを説明するための図である。
【図２】符号語（２５６語）のセットを説明するための図である。
【図３】符号語（８ビット）の例を説明するための図である。
【図４】データ通信端末Ｂを説明するための図である。
【図５】データ通信端末Ａを説明するための図である。
【図６】データ通信端末Ａのフィルタを説明するための図である。
【図７】データ通信端末Ｂのフィルタを説明するための図である。
【図８】送信データ信号を説明するための図(その１)である。
【図９】送信データ信号を説明するための図(その２)である。
【図１０】a１(t)、a２(t)、a３(t)及びa４(t)の４つの信号のスペクトラムを説明するための図である。
【符号の説明】
【００８０】
１０    データ通信端末
１１、１７    変復調装置
１２、１６    回線保護装置
１３、１５    網制御装置
１４    ネットワーク
１８    通信制御装置
１９    計算機システム
２０、３０    フィルタ
２２、３２    発振器
２３、３３    アンテナ
【図１】
2006173755.tif 000014
【図２】
2006173755.tif 000015
【図３】
2006173755.tif 000016
【図４】
2006173755.tif 000017
【図５】
2006173755.tif 000018
【図６】
2006173755.tif 000019
【図７】
2006173755.tif 000020
【図８】
2006173755.tif 000021
【図９】
2006173755.tif 000022
【図１０】
2006173755.tif 000023